(57)【要約】      （修正有）【課題】歯磨き粉材料を歯ブラシから外へ押し出すために、１本の指で操作できる歯ブラシを提供する。【解決手段】歯ブラシは、本体部２が後方通路部を画定し、後方通路部と空間的に連通する細長スロット２２２が形成されるハンドル壁部２２を含み、歯磨き粉材料がハンドル壁部で受けられ、及び駆動部材２３がスロットを通してハンドル壁部へ伸びる。駆動部材は歯磨き粉材料が後方通路部に沿って剛毛２４搭載面上を前進するように、スロットに沿ってスライド可能である。【選択図】図３
0003174509.tif 000002
【実用新案登録請求の範囲】
【請求項１】
ヘッド壁部を含む本体部と、前記ヘッド壁部へ接続され、前記ヘッド壁部の後方に配置されるハンドル壁部と、及び前記ヘッド壁部に形成される前方通路部、及び前記ハンドル壁部を通して形成され、かつ前記前方通路部へ接続される後方通路部を有する内部通路と、からなり、前記ヘッド壁部は剛毛搭載面を有し、前記前方通路部は前記剛毛搭載面を通して伸び、前記ハンドル壁部は後方自由端を有し、前記本体部の長さ方向に沿って前記ヘッド壁部の後端から後方へ伸び、及び細長いスロットが形成され、前記後方通路部はその後端に開口端を有し、前記スロットは前記後方通路部と空間的に連通し、前記ヘッド壁部と前記ハンドル壁部の後方自由端との間に配置される前端を有し、及び前記ハンドル壁部の後方自由端を通して前記前方端から、前記本体部の長さ方向に沿って伸び、前記後方通路部は前記前方通路部と前記スロットの前端との間に配置される歯磨き粉受けセクションを有し、
歯磨き粉材料は、前記後方通路部の、かつ後端を有する歯磨き粉受けセクションで受けられ、
駆動部材は、前記スロットを通して前記後方通路部へ伸び、及び前記ハンドル壁部の外部上に配置される操作端を有し、及び駆動端は、前記後方通路部に配置され、前記後方通路部の歯磨き受けセクションの前記歯磨き粉材料の後端と接触し、前記駆動部材は、前記歯磨き粉材料を押して前記前方と後方通路部に沿って前進させるように、前記スロットに沿ってスライド可能であり、及び、
複数の剛毛は、前記剛毛当搭載面上に搭載される、歯ブラシ。
【請求項２】
前記後方通路部の開口端を通して前記後方通路部へ挿入され、かつ前記後方通路部の開口端をカバーする、プラグから更になる、請求項１に記載の歯ブラシ。
【請求項３】
前記駆動部材は、前記後方通路部に配置される棒部と、前記ハンドル壁部の外部上に配置されるノブ部と、及び前記スロットを通して伸び、かつ前記ノブ部と前記ノブ部の間に接続される接続部と、を含み、前記ノブ部は前記駆動部材の操作端を画定し、前記棒部は前記駆動部材の駆動端を画定する、請求項１に記載の歯ブラシ。
【請求項４】
前記後方通路部の歯磨き粉受けセクションは、それぞれ前記前方通路部の隣接部と、前記スロットの前端とで終端する２つの対抗端を有し、前記棒部は前記駆動部材の駆動端から前記接続部の隣接端へ伸び、かつ前記歯磨き粉受けセクションの長さとほぼ同一の長さを有する、挿入セクションを有し、前記ハンドル壁部は前記スロットの前端を画定するスロット画定面を有し、前記駆動部材は、前記挿入セクションが前記歯磨き粉受けセクションの外側に配置され、かつ前記ノブ部が前記スロットの前端から離れる第一位置と、前記挿入セクションが前記歯磨き粉受けセクション内でほぼ完全に受けられ、かつ前記ノブ部が前記スロットの前端に配置され、前記スロット画定面に当接する、第二位置との間で、前記スロットに沿ってスライド可能である、請求項３に記載の歯ブラシ。
【請求項５】
前記駆動部材の駆動端は前記後方通路部の周長とほぼ同一の周長を有する、請求項１に記載の歯ブラシ。
【請求項６】
ヘッド壁部を含む本体部と、及び前記本体部の長さ方向に沿って前記ヘッド壁部の後端から後方へ伸びるハンドル壁部と、及び前記ヘッド壁部に形成される前方通路部、及び前記ハンドル壁部に形成され、かつ前記前方通路部へ接続される後方通路部と、からなる歯ブラシで、前記ヘッド壁部は剛毛搭載面を有し、前記前方通路部は前記剛毛搭載面を通して伸び、前記ハンドル壁部は第一セクションと前記第一セクションへ接続された第二セクションとを有し、前記第一セクションは後端面を有し、前記後方通路部は前記後端面を通して伸び、かつ前記後端面により囲まれた開口端を有し、前記第二セクションは、前記後方通路部の開口端と空間的に連通し、かつ前記内部区画と空間的に連通するスロットが形成される内部区画を画定し、
歯磨き粉供給機は前記内部区画に配置され、かつ円筒容器とポンプを含み、前記円筒容器は中に歯磨き粉材料を受けるような歯磨き粉室を画定する前方開口端を有し、前記ポンプは排出端を有する引き抜き管を含み、終端フランジは前記引き抜き管へ固定され、かつ前記引き抜き管から外へ突出し、カートリッジは前記歯磨き粉室へ伸び、かつ前記円筒容器の前方開口端とガイド部材に固定され、前記引き抜き管はある方向へ前記カートリッジへ、及び反対方向へ前記後方通路部の開口端を通して前記後方通路部へ伸び、前記円筒容器と前記カートリッジの組み合わせは、前記終端フランジと前記引き抜き管の組み合わせに対して伸縮自在に移動可能であり、前記ガイド部材は前記円筒容器と前記カートリッジの組み合わせを前記終端フランジと前記引き抜き管の組み合わせから伸縮自在に移動させるようにし、前記終端フランジは、前記円筒容器と前記カートリッジの組合せと前記終端フランジと前記引き抜き管の組み合わせの間での伸縮自在の移動の間、前記第一セクションの前記後方端面に対して絶えず当接し、及び、
駆動部材は、前記円筒容器と接続するため、前記スロットを通して前記内部区画へ伸び、かつ前記第二セクションの外部上に配置された操作端を有し、前記駆動部材は前記円筒容器と前記カートリッジの組み合わせと前記終端フランジと前記引き抜き管の組み合わせとの間の伸縮自在の移動を駆動するため、前記スロットに沿ってスライド可能である、歯ブラシ。
【請求項７】
前記ハンドル壁部は、さらに前記第一と第二のセクションを相互接続する相互接続セクションを有し、前記相互接続セクションは前記第一セクションから後方へ広がり、かつ後端を有し、前記第二セクションは前記相互接続セクションの後端へ取り外し可能に結合される前端を有する、請求項６に記載の歯ブラシ。
【請求項８】
前記相互接続セクションはベル型を有し、かつその中に内部空間を画定し、前記ガイド部材は前記引き抜き管へかぶせられ、かつ前記終端フランジに当接し、前記ガイド部材と前記終端フランジは、前記相互接続セクションの内部空間で受けられる、請求項７に記載の歯ブラシ。
【請求項９】
前記駆動部材は前記内部区画に配置されるスリーブ部と、及び前記スリーブ部から伸び、前記スロットで受けられ、及び前記操作端を画定するノブ部と、を含み、前記円筒容器はそれから突出する環状フランジを備え、前記スリーブ部は前記円筒容器にかぶせられ、かつ前記環状フランジに当接する、請求項６に記載の歯ブラシ。
【考案の詳細な説明】
【技術分野】
【０００１】
本考案は、歯ブラシ、特に歯磨き粉材料と、歯磨き粉材料を歯ブラシから外へ押し出すために、１本の指で操作できる駆動部材とを有する歯ブラシに関する。
【背景技術】
【０００２】
図１は、ホテル、モーテル、病院などでの使用に適した通常の歯ブラシキットを図示する。
通常の歯ブラシキットは歯ブラシ８１と、歯ブラシ８１から分離した絞り可能な歯磨き粉容器８２とを含む。使用には、歯磨き粉容器８２は歯磨き粉容器８２から歯ブラシ８１の剛毛上に歯磨き粉材料８０を載せるように絞られる。
【０００３】
図２は、歯磨き粉材料８０が歯ブラシ８３の中空ハンドル８３４内で受けられる、別の通常の歯ブラシ８３を図示する。歯ブラシ８３のブラシヘッド８３２から、歯ブラシ８３の剛毛８３１上へ歯磨き粉材料８０を移動させるために、プランジャ８３５が中空ハンドル８３４へ挿入される。しかし、歯磨き粉材料８０を動かすためのプランジャ８３５の操作は不便である。
【０００４】
米国特許番号４，１１６，５７０は、ヘッド部分、スロットを備える中空ハンドル部、ハンドル部で受けられ、その中へ歯磨き粉材料を受ける絞り可能な歯磨き粉容器、及びハンドル部上にスライド可能に取り付けられ、歯磨き粉容器を絞るためのスロットに沿ってスライド可能な駆動部材、を含む歯ブラシについて開示する。ハンドル部は、歯磨き粉容器をハンドル部へそれを通して挿入するための、及び開口端をカバーするためのカバーを備える、開口端を画定する後方開口端を有する。スロットは、それぞれハンドル部の後方開口端とヘッド部に隣接配置される２つの閉止端を有する。ハンドル部の後方セクションは、歯磨き粉容器がハンドル部へ通過するために、駆動をその場で停止させるように、ハンドル部の後方開口端に向かう方向に周長が徐々に大きくなる。上記歯ブラシは、絞り可能な歯磨き粉容器を絞るための駆動部材の操作が面倒であるという欠点がある。
【０００５】
米国特許番号７，１２８，４９２は、ヘッド部と、絞り可能な歯磨き粉容器のねじ付き口へ接続されるようになっているねじ付き開口端を有し、かつねじ付き開口端から遠位にスロットが形成された中空ハンドル部と、及びハンドル部上をスライド可能に搭載され、かつ歯磨き粉材料をハンドル部で受けるように駆動するため、スロットに沿ってスライド可能な、駆動部材とを、含む歯ブラシについて開示する。上記歯ブラシは、ねじ付き開口端とスロット間に配置される著しい量の歯磨き粉材料は駆動部材で駆動できないため、歯磨き粉材料の無駄が発生するという欠点がある。
【先行技術文献】
【特許文献】
【０００６】
【特許文献１】米国特許第４，１１６，５７０号
【特許文献２】米国特許第７，１２８，４９２号
【考案の概要】
【課題を解決するための手段】
【０００７】
従って、本考案の目的は、従来技術に関係する上記欠点を克服することができる歯ブラシを提供することである。
【０００８】
本考案の一実施態様によると、以下のような歯ブラシが提供される。この歯ブラシは以下からなる：ヘッド壁部、ヘッド壁部へ接続され、後方に配置されるハンドル壁部と、及びヘッド壁部に形成される前方通路部、及びそれを通してハンドル壁部が形成され、前方通路部へ接続される後方通路部を有する内部通路と、からなり、ヘッド壁部は剛毛搭載面を有し、前方通路部は剛毛搭載面を通して伸び、ハンドル壁部は後方自由端を有し、ヘッド壁部の後端から本体の長さ方向に沿って後方へ伸び、及び細長いスロットが形成され、後方通路部は、その後端に開口端を有し、スロットは後方通路部と空間的に連通し、ヘッド壁部とハンドル部の後方自由端との間に配置される前端を有し、及びハンドル壁部の後方自由端を通して前端から本体部の長さ方向に沿って伸び、後方通路部は前方通路部とスロットの自由端との間に配置される歯磨き粉受けセクションを有し；歯磨き粉材料は前方通路部の後端を有する歯磨き粉受けセクションで受けられ；駆動部材はスロットを通して後方通路部へ伸び、かつハンドル壁部の外側上に配置される操作端を有し；及び駆動端は後方通路部に配置され、かつ後方通路部の歯磨き粉受けセクションの歯磨き粉材料の後端と接触し、駆動部材は、歯磨き粉材料を押して前方及び後方通路部に沿って前進させるようにし、スロットに沿ってスライド可能であり；複数の剛毛は、剛毛搭載面に搭載される。
【０００９】
本考案の別の態様によると、以下のような歯ブラシが提供される：ヘッド壁部を含む本体部と、本体部の長さ方向に沿って、ヘッド壁部の後端から後方へ伸びるハンドル壁部と、及びヘッド壁部に形成される前方通路部、及びハンドル壁部に形成され、かつ前方通路部へ接続される後方通路部、を有する内部通路と、を含み、ヘッド壁部は剛毛搭載面を有し、前方通路部は剛毛搭載面を通して伸び、ハンドル壁部は第一セクションと第一セクションへ接続される第二セクションとを有し、第一セクションは後方端面を有し、後方通路部は第一セクションに後方端面を通して形成され、かつ後方端面により囲まれた開口端を有し、第二セクションは後方通路の開口端と空間的に連通する内部区画を画定し、かつ内部区画と空間的に連通するスロットが形成され；歯磨き粉供給機は内部区画内に配置され、かつ円筒容器とポンプを含み、円筒容器は、その中に歯磨き粉材料を受けるような歯磨き粉室を画定する前方開口端を有し、ポンプは排出端を有する引き抜き管を含み、終端フランジは、引き抜き管へ固定され、これから外側へ突出し、カートリッジは、歯磨き粉室へ伸び、かつ円筒容器の前方開口端へ固定され、及びガイド部材からなり、引き抜き管は、ある方向へカートリッジの後方へ、及び反対方向へ後方通路部の開口端を通して後方通路部へ伸び、円筒容器とカートリッジの組み合わせは、終端フランジと引き抜き管の組み合わせに対して伸縮自在に移動可能であり、ガイド部材は、円筒容器とカートリッジの組み合わせが、終端フランジと引き抜き管の組み合わせから伸縮自在に移動させるように誘導し、終端フランジは、円筒容器とカートリッジの組み合わせと終端フランジと引き抜き管の組み合わせとの間の伸縮自在移動の間、第一セクションの後端面に絶えず当接し；及び駆動部材は、円筒容器と接触するためにスロットを通して内部区画へ伸び、かつ第二セクション外部上に配置される操作端を有する。駆動部材は円筒容器とカートリッジの組み合わせと、終端フランジと引き抜き管の組み合わせとの間の伸縮自在移動を駆動するため、スロットに沿ってスライド可能である。
【図面の簡単な説明】
【００１０】
【図１】通常のブラシの概略図である。
【図２】別の通常の歯ブラシの断面図である。
【図３】本考案による歯ブラシの第一好適実施例の斜視図である。
【図４】第一好適実施例の展開斜視図である。
【図５】第一好適実施例の駆動部材が第一位置に配置される状態を図示する断面図である。
【図６】第一好適実施例の駆動部材が第二位置に配置される別の状態を図示する断面図である。
【図７】本考案による歯ブラシの第二好適実施例の部分展開斜視図である。
【図８】駆動部材が第一位置に配置される状態を図示する第二好適実施例の断面図である。
【図９】駆動部材が第二位置に配置される状態を図示する第二好適実施例の断面図である。
【図１０】第二好適実施例の歯磨き粉供給機の断面図である。
【図１１】歯磨き粉供給機のポンプが押圧段階を行う状態を図示する第二好適実施例の断面図である。
【図１２】歯磨き粉供給機のポンプが吸引段階を行う別の状態を図示する第二好適実施例の断面図である。
【考案を実施するための形態】
【００１１】
図３〜図５は本考案による歯ブラシの第一好適実施例を図示する。本歯ブラシは以下を含む：
ヘッド壁部２１を含む本体部２と、ヘッド壁部２１へ接続され、これの後方に配置されるハンドル壁部２２と、及びヘッド壁部２１に形成される前方通路部２１０、及びハンドル壁部２２を通して形成され、かつ前方通路部２１０へ接続される後方通路部２２０を有する内部通路とを含み、
ヘッド壁部２１は剛毛搭載面２１１を有し、前方通路部２１０（図５参照）は剛毛搭載面２１１を通して伸び、ハンドル壁部２２は後方自由端２２１を有し、本体部２の長さ方向に沿ってヘッド壁部２１の後端から後方へ伸び、かつ細長スロット２２２が形成され、後方通路部２２０はその後端に開口端２２１０を有し、スロット２２２は、後方通路部２２０と空間的に連通し、ヘッド壁部２１とハンドル壁部２２の後方自由端２２１の間に配置される前端２２２１を有し、かつハンドル壁部２２の後方自由端２２１を通して、前端２２２１から本体部２の長さ方向に沿って伸び、後方通路部２２０は、前方通路部２１０とスロット２２２の前端２２２１との間に配置される歯磨き粉受けセクション２２０１を有し；歯磨き粉材料８０は後方通路部２２０の、後端８０１を有する歯磨き粉受けセクション２２０１で受けられ；駆動部材２３はスロット２２２を通して、後方通路部２２０へ伸び、かつハンドル壁部２２の外部上に配置される操作端２３１を有し、及び駆動端２３２は、後方通路部２２０に配置され、後方通路部２２０の歯磨き粉受けセクション２２０１の歯磨き粉材料８０の後端８０１と接触し、駆動部材２３は、歯磨き粉材料８０を押して前方及び後方通路部２１０，２２０に沿って前進させるようにするために、スロット２２２に沿ってスライド可能であり；複数の剛毛２４は剛毛搭載面２１１上に搭載され；及びプラグ２５は、後方通路部２２０の開口端２２１０を通して後方通路部２２０へ挿入され、かつ後方通路部２２０の開口端２２１０をカバーする。
【００１２】
この実施例で、駆動部材２３は、後方通路部２２０に配置される棒部２３３と、ハンドル壁部２２の外部上に配置されるノブ部２３４と、及びスロット２２２を通して伸び、棒部２３３とノブ部２３４の間に接続される接続部２３５と、を含む。ノブ部２３４は駆動部材２３の操作端２３１を画定する。棒部２３３は、駆動部材２３の駆動端２３２を画定する。
【００１３】
後方通路部２２０の歯磨き粉受けセクション２２０１はそれぞれ前方通路部２１０の隣接端２２１０と、スロット２２２の前端２２２１とで終端する２つの対向端を有する。棒部２３３は駆動部材２３の駆動端２３２から接続部２３５の隣接端２３５１へ伸び、かつ歯磨き粉受け部２２０１の長さとほぼ同一長さを有する挿入セクション２３３１（図４参照）を有する。ハンドル壁部２２は、更にスロット２２２の前端２２２１を画定するスロット画定面２２３を有する。駆動部材２３は、挿入セクション２３３１が歯磨き粉受けセクション２２０１の外部に配置され、かつノブ部２３４がスロット２２２の前端２２２１から離れた第一位置（図５参照）と、挿入セクション２３３１が歯磨き粉受けセクション２２０１内でほぼ全体が受けられ、かつノブ部２３４がスロット２２２の前端２２２１に配置され、スロット画定面２２３に当接する、第二位置（図６参照）との間でスロット２２２に沿ってスライド可能である。
【００１４】
駆動部材２３の駆動端２３２は、後方通路部２２０のそれとほぼ同一の周長を有する。
【００１５】
本考案の歯ブラシのハンドル壁部２２の後方自由端を通して伸びるスロット２２２を形成することにより、歯磨き粉材料８０は、駆動部材２３とプラグ２５のハンドル壁部２２への組み込みに先立ち、後方通路部２２０の歯磨き粉受けセクション２２０１へ充填されることが可能になる。従って、米国特許ＮＯ７，１２８，４９２で遭遇するような歯磨き粉材料を浪費する従来の欠点は排除することができる。
【００１６】
図７〜１２は本考案による歯ブラシの第二好適実施例を図示する。本歯ブラシは以下の要素を含む：
ヘッド壁部３１を含む本体部３と、本体部３の長さ方向に沿ってヘッド壁部３１の後端から後方へ伸びるハンドル壁部３２と、及びヘッド壁部３１に形成される前方通路部３１０、及びハンドル壁部３２に形成され、かつ前方通路部３１０へ接続される後方通路部３２０、を有する内部通路を含み、ヘッド壁部３１は剛毛搭載面３１１を有し、前方通路部３１０は、剛毛搭載面３１１を通して伸び、ハンドル壁部３２は、第一セクション３２１、第二セクション３２２、及び第一セクションと第二セクション３２１，３２２を相互接続するベル型相互接続セクション３２３を有し、第一セクション３２１は、環状後端面３２１１を有し、かつ後方通路部３２０が形成され、後方通路部３２０は後端面３２１１を通して伸び、後端面３２１１により囲まれる開口端３２０１を有し、相互接続セクション３２３は、第一セクション３２１の後端から後方に広がり、かつ後端３２３１を有し、第二セクション３２２は、相互接続セクション３２３１（図８参照）の後端３２３１へ取り外し可能に結合され、後方通路部３２０の開口端３２０１と空間的に連通する内部区画３２２０を画定し、及び内部区画３２２０と空間的に連通するスロット３２２１が形成される前端３２２５を有し；ポンプ型歯磨き粉供給機４は内部区画３２２０に配置され、かつ円筒容器４１、ポンプ４２及びピストン４４を含み、円筒容器４１はその中に歯磨き粉材料８０を受けるように歯磨き粉室４１０を画定する前方開口端４１１と、少なくとも１つの空気孔４１２０が形成される後端壁４１２と、を有し、ピストン４４は、歯磨き粉室４１０内に移動可能に配置され、かつ歯磨き粉材料８０の後端と接触し、ポンプ４２は、排出端４２１１（即ち、前端）を有する引き抜き管４２１を含み、終端フランジ４２２は引き抜き管４２１へ固定され、そこから外へ突出し、円筒形カートリッジ４２３は歯磨き粉室４１０へ伸び、かつ円筒容器４１の前方開口端４１１へ固定される環状スリーブ４２３８、ガイド部材４２４、及び弁機構を備え、引き抜き巻４２１１は、ある方向へカートリッジ４２３へ伸び、及び反対方向へ後方通路部３２０の開口端３２０１を通して後方通路部３２０へ伸び、円筒容器４１とカートリッジ４２３の組み合わせは、終端フランジ４２２と引き抜き管４２１の組み合わせに対して伸縮自在に移動可能であり、ガイド部材４２４は、円筒容器４１とカートリッジ４２３の組み合わせを終端フランジ４２２と引き抜き管４２１の組み合わせから伸縮自在に移動させるように誘導し、終端フランジ４２２は、円筒容器４１とカートリッジ４２３の組合せと終端フランジ４２２と引き抜き巻４２１の組み合わせとの間の相対的伸縮自在の移動の間、第一セクション３２１の後方端面３２１１に対して絶えず当接し、弁機構は、ポンプ４２（図１１参照）の押圧段階の間のカートリッジ４２３から引き抜き管４２１への、及びポンプ４２（図１２参照）の吸引段階の間の歯磨き粉室４１０からカートリッジ４２３への歯磨き粉材量８０の流れを制御するため、カートリッジ４２３に配置され；駆動部材４３は、円筒容器４１と接触するため、スロット３２２１を通して内部区画３２２０へ伸び、かつ第二セクション３２２の外部上に配置される操作端４３１を有する。駆動部材４３は、円筒容器４１とカートリッジ４２３の組合せと、終端フランジ４２２と引き抜き巻４２１の組み合わせとの間の相対的伸縮自在の移動を駆動するため、第一位置（図８参照）と第二位置（図９参照）との間、スロット３２２１に沿ってスライド可能であり；及び複数の剛毛２４は剛毛搭載面３１１上に搭載される。
【００１７】
この実施例で、相互接続セクション３２３は、その中に、内部空間３２３０を画定する（図８参照）。ガイド部材４２４は、引き抜き管４２１へはめられ、かつ終端フランジ４２２に当接する。ガイド部材４２４と終端フランジ４２２は、相互接続セクション３２３の内部空間３２３０で受けられる。
【００１８】
引き抜き管４２１は弁開口４５１が形成される。弁機構は、弁開口４５１（図１０〜１２参照）を開閉するため、カートリッジ４２３へ固定される第一弁４５と、カートリッジ４２３の壁端４２３５の開口端４２３０を開閉するため、その外周にあり、第一弁４５から離れたカートリッジ４２３の内壁へ固定される（弾性柔軟膜の形の）第二弁４６と、を含む。カートリッジ４２３は、開口端４２３０を画定する自由壁端４２３５を有する。第二弁４６は、自由壁端４２３５に隣接配置され、環状孔４６１０が形成され、かつ弾性的に及び柔軟に変形可能である。カートリッジ４２３と円筒容器４１の組合せと共に駆動部材４３が、第一位置（図８参照）に配置される場合、弁開口４５１は第一弁４５により閉になり（図１０参照）、カートリッジ４２３の壁端４２３５の開口端４２３０は、第二弁４６により閉になる。
【００１９】
駆動部材４３は、内部区画３２２０に配置されるスリーブ部４３２と、及びスリーブ部４３２から伸び、スロット３２２１で受けられ、及び操作端４３１を画定するノブ部４３３と、を含む。円筒容器４１は、円筒容器４１の前方開口端４１１へ隣接して配置され、かつそれから外へ突出した環状フランジ４１６を備える。スリーブ部４３２は、引き抜き管４２１に対してカートリッジ４２３と共に、駆動部材４３が円筒容器４１を移動させるように、円筒容器４１上にはめられ、かつ環状フランジ４１６に当接する。ハンドル壁部３２の第二セクション３２２には、少なくとも１つの内部ガイド溝が形成される。駆動部材４３のスリーブブ４３２には、駆動部材４３のスライド移動をスロット３２２１に沿って、第二セクション３２２上でガイドするように、ガイド溝へ伸びる少なくとも１つのガイド舌部が形成される。スロット３２２１は、前端３２２１ａを有し、スロット画定面３２２２により画定される。ノブブ４３１の前端は、駆動部材４３が第一位置へ配置される場合（図８参照）、スロット３２２１の前端３２２１ａから離れ、駆動部材４３が第二位置に配置される場合（図９参照）、スロット３２２１の前端３２２１ａに配置され、かつスロット画定面３２２２に当接する。
【００２０】
操作において、円筒容器４１とカートリッジ４２３の組合せと共に、駆動部材４３が第一位置（図８と１０参照）から第二位置（図９と１１参照）へ移動すると、カートリッジ４２３の前端壁４２３１は、引き抜き管４２１の肩部４２１１’と接触し、引き抜き管４２１はカートリッジ４２３へ後退し、その結果、カートリッジ４２３の歯磨き粉材料８０へ弁開口４５１が露出し、カートリッジ４２３の壁端４２３５の開口４２３０を閉止するために、第二チェック弁４６１を扁平にすることで、歯磨き粉材料８０がカートリッジ４２３から弁開口４５１を通って、引き抜き管４２１へ流れるようにする。反対に、円筒容器４１とカートリッジ４２３の組み合わせと共に駆動部材４３がガイド部材４２４の誘導作用により第二位置から第一位置へ移動する場合、引き抜き管４２１はカートリッジ４２３に対して前進し、この結果、カートリッジ４２３内に真空が発生し、このために第二弁４６１が変形して、カートリッジ４２３の壁端４２３５の開口端４２３０を開にし、かつ空気孔４１２を通して歯磨き粉室４１０へ周辺空気を引き込み、円筒容器ピストン４４（表示なし）を押すことで、開口端４２３０と環状孔４６１０を通して円筒容器４１からカートリッジ４２３への歯磨き粉材料８０の流れを起こす。
【００２１】
本考案の歯ブラシにポンプ型歯磨き粉供給機を含むことで、歯磨き粉材料８０は、駆動部材４３を操作することにより、ヘッド壁部３１の剛毛搭載面３１１上に円筒容器４１から容易に引き出すことができる。
【００２２】
本考案は、最も実際的で、かつ好ましい実施例と思われることに関して述べてきたが、本考案は開示実施例に限定されることなく、このような修正や同等の配置を包含するように、最も広範囲の解釈の精神と範囲内に含まれる様々な配置をカバーすることを意図する。
【符号の説明】
【００２３】
２、３：本体部
４：ポンプ型歯磨き粉供給機
２１，３１：ヘッド壁部
２２、３２：ハンドル壁部
２３、４３：駆動部材
２４：剛毛
２５：プラグ
４１：円筒容器
４２：ポンプ
４４：ピストン
４５：第一弁
４６：第二弁
８０：歯磨き粉材料
８１、８３：歯ブラシ歯磨き粉容器
８２：歯磨き粉容器
【図１】
0003174509.tif 000003
【図２】
0003174509.tif 000004
【図３】
0003174509.tif 000005
【図４】
0003174509.tif 000006
【図５】
0003174509.tif 000007
【図６】
0003174509.tif 000008
【図７】
0003174509.tif 000009
【図８】
0003174509.tif 000010
【図９】
0003174509.tif 000011
【図１０】
0003174509.tif 000012
【図１１】
0003174509.tif 000013
【図１２】
0003174509.tif 000014